(57)【特許請求の範囲】
【請求項１】
後パネルと、この後パネルの両側縁の少なくとも一方から前方に延設される側パネルとでパーテーションを構成し、前記側パネルの内面に支持手段の一方が連結し、支持手段の他方が天板の下面に連結し、前記支持手段により、天板を、後パネルに対して略水平な使用状態と、前記後パネルに対して天板の表面側が近接して対向するほぼ垂直な折り畳み状態との間で回動可能となるよう側パネルに支持するものであって、前記支持手段は、メインリンクとサブリンクを有し、前記メインリンクには、ガイド溝が設けられ、前記ガイド溝には前記サブリンクの一方端に設けたガイドピンが係合し、前記メインリンクの一方端は天板又はパネルのいずれかに軸着し、前記メインリンク及び前記サブリンクの他方端はパネル又は天板のいずれかに軸着し、前記サブリンクのガイドピンは前記ガイド溝に沿って移動し、天板が略水平な使用状態と前記後パネルに対して天板の表面側が近接して対向するほぼ垂直な折り畳み状態とに移動するように案内支持し、天板を略垂直状態に移動する際、この天板を下降移動させる機能を有していることを特徴とする折り畳みテーブル。
【請求項２】
前記支持手段が、天板を垂直な折り畳み状態から使用状態に向かう方向に付勢する弾性手段を備えている請求項１に記載の折り畳みテーブル
【請求項３】
前記支持手段が、天板の上下移動の間、上方向に付勢する弾性手段を備えている前記請求項１または２に記載の折り畳みテーブル。
【請求項４】
前記側パネルに、この側パネルの延長方向となる展開状態と、前記後パネルと対向する間で回動可能な延長パネルを備えた請求項１ないし３のいずれかに記載の折り畳みテーブル。
【請求項５】
前記後パネル、前記側パネル又は前記延長パネルのいずれかのパネルの底部に、キャスターが設けられた請求項１ないし４のいずれかに記載の折り畳みテーブル。
【請求項６】
前記後パネル、前記側パネル、又は前記延長パネルのいずれかのパネルには、天板が略水平な使用状態となったときに下降して床面に接地する脚部が設けられている請求項５に記載の折り畳みテーブル。
【発明の詳細な説明】
【０００１】
【発明の属する技術分野】
本発明は、パーテーションと天板をユニット化した折り畳みテーブルに関する。
【０００２】
【従来の技術】
従来、個室の執務空間を確保するために、パーテーションと机を別個に用意することが常識であり（特願昭５０−４４６１８号公報）、そのためパーテーションと机とをそれぞれ個別にその設置場所に搬送し設置していた。また、机にパーテーションを固定する技術も知られている（実願昭５８−１５９０２４号公報）。
【０００３】
【発明が解決しようとしている課題】
これらパーテーションと机とをそれぞれ別個に搬送し設置するタイプのものにあっては、その搬送や設置の管理が二重に発生し、管理に手間取るばかりか、パーテーションと机とを一体化したものにあっては、机がパーテーションを支えるため、十分な執務閉空間を作るような大きなパーテーションを備える機構にはできず、また不使用時に机自体が水平平面を大きく占めるため、無駄な空間を放置しておくことになる。
【０００４】
本発明は、パーテーションと机の機能を一体化し、その搬送、設置を容易にするとともに保管時において省スペース化を図れる折り畳みテーブルを提供することを目的とする。
【０００５】
【課題を解決するための手段】
上記目的を達成するために、本発明の折り畳みテーブルは、後パネルと、この後パネルの両側縁の少なくとも一方から前方に延設される側パネルとでパーテーションを構成し、前記側パネルの内面に支持手段の一方が連結し、支持手段の他方が天板の下面に連結し、前記支持手段により、天板を、後パネルに対して略水平な使用状態と、前記後パネルに対して天板の表面側が近接して対向するほぼ垂直な折り畳み状態との間で回動可能となるよう側パネルに支持するものであって、前記支持手段は、メインリンクとサブリンクを有し、前記メインリンクには、ガイド溝が設けられ、前記ガイド溝には前記サブリンクの一方端に設けたガイドピンが係合し、前記メインリンクの一方端は天板又はパネルのいずれかに軸着し、前記メインリンク及び前記サブリンクの他方端はパネル又は天板のいずれかに軸着し、前記サブリンクのガイドピンは前記ガイド溝に沿って移動し、天板が略水平な使用状態と前記後パネルに対して天板の表面側が近接して対向するほぼ垂直な折り畳み状態とに移動するように案内支持し、天板を略垂直状態に移動する際、この天板を下降移動させる機能を有していることを特徴としている。
この特徴によれば、前記折り畳みテーブルは、天板が垂直状態で収納状態にあり、天板が略水平な位置まで回動すると使用状態となる。すなわち、天板が側パネルに支持されているため、パーテーションを構成する各パネルとして比較的大きなものを利用できるとともに、不使用時には後パネルと対向するように略垂直となるため、運搬が容易でありかつ保管場所をとらず、天板を略水平にするのみで机の使用状態となり、設置も楽なものとなる。またこの支持手段は収納状態時にはパネルで隠蔽され、使用状態時においては天板とパネルにより隠蔽され見栄えを向上できる。更に天板が天板収納時に下降移動できるため、奥行きの長い天板であっても、パネルから飛び出て周囲から見えにくくできる。更に支持手段は、メインリンクとサブリンクを有し、メインリンクには、ガイド溝が設けられ、サブリンクのガイドピンがガイド溝に沿って移動し、天板が略水平な使用状態と後パネルに対して天板の表面側が近接して対向する垂直な折り畳み状態とに移動するように案内支持するので、簡単な機構で確実に天板を回動支持できることになる。
【０００９】
上記折り畳みテーブルにおいて、支持手段が天板を垂直な折り畳み状態から使用状態に向かう方向に、付勢する弾性手段を備えることが好ましい。
このようにすれば、支持手段には、天板を垂直な折り畳み状態から使用状態に向かう方向に、付勢する弾性手段を備えているので、天板を支えるのに必要な力を小さくすることができ、また回動時に発生する天板の支持手段の打音等の発生を防止することができる。
【００１０】
上記折り畳みテーブルにおいて、支持手段が天板の上下移動の間で上方向に付勢する弾性手段を備えることが好ましい。
このようにすれば、天板の上下移動の間で上方向に付勢する弾性手段を備えているので、天板の下降移動を穏やかにし、移動の際の騒音が発生するのを防止できる。またこの付勢力が天板を上昇させるときの補助力として働くため、軽い力で天板を上昇できることになる。
【００１１】
上記折り畳みテーブルにおいて、前記側パネルに、この側パネルの延長方向となる展開状態と、前記後パネルと対向する間で回動可能な延長パネルを備えることが好ましい。
このようにすれば、側パネルに回動可能な延長パネルを備え、天板収納時に折り畳めるので天板を周囲から見えないように遮蔽できるばかりか、延長パネルの延長時にパーテーションによる執務閉空間が構築でき、折り畳み時はコンパクトなパーテーションとなる。また延長パネルを展開した使用時においても、延長パネルを側パネルの一方に設けるか、両方に設けるかにより、またそれらのパネル幅を設定することにより種々の使用形態に対応できる。
【００１２】
上記折り畳みテーブルにおいて、前記後パネル、前記側パネル又は前記延長パネルのいずれかのパネルの底部に、キャスターが設けられることが好ましい。
このようにすれば、折り畳みテーブルの設置時や執務室のレイアウト変更時、パネルに設けたキャスターにより、移動をスムーズに行うことができる。
【００１３】
上記折り畳みテーブルにおいて、前記後パネル、前記側パネル、又は前記延長パネルのいずれかのパネルには、天板が略水平な使用状態となったときに下降して床面に接地する脚部が設けられていることが好ましい。
このようにすれば、天板が後パネルに対して略水平な使用状態となったとき、下降して床面に接地する脚部が設けられているので、天板の使用時に天板やパネルの移動を防止できる。
【００１４】
【発明の実施の形態】
以下、本発明の実施例を図面に基づいて説明する。
【００１５】
図１，図２は、本発明の折り畳みテーブルの使用時の概観図である。この外観図について概要を説明すると、図１は折り畳みテーブルの使用状態であり、図２はこの折り畳みテーブルの収納状態を表している。すなわち、後パネル１の両端の少なくとも一方には、側パネル２、２が後パネル１に対してほぼ直角に連結されている。また天板３が側パネル２に固定された支持手段によって支持されており、この天板３の前端を手で押し上げることにより、図２に示されるように天板３は、その表面が後パネルに対して対向し、かつ床面に対して略垂直な折り畳み状態となり、収納管理に便利な状態になるようになっている。図１の状態から図２の状態に変化するまでの移動経過が、図３、図４に示されている。
【００１６】
この側パネル２には延長パネル５が連結されており、この連結の構造は、回動自在であり、この延長パネル５は、天板３収納時、天板３の前方を覆う位置まで延び、図１に示されるようにテーブル使用時には天板３を側面から覆うプレートとしても機能する。両側に設けられた側パネル２は、後パネル１と延長パネル５とを連結し、又天板を閉鎖する機能を有するばかりか、パーテーションを自立させるための矩形の水平断面を形成する機能を有する。
【００１７】
また後パネル１、側パネル２、延長パネル５には、キャスター４が設けられており、移動可能になっている。このキャスターは、移動を防止するロック機構を備えたものが望ましい。
【００１８】
図５、図６、図７に基づいて前述の天板３の支持手段の第１実施例を説明すると、この支持手段は、天板３をこの側パネル２に対して折り畳み自在に支持するものである。すなわち支持手段は、支持リンク６、ガイド部材１１、ガイドピン１３、ガスサスペンション１５を有しており、支持リンク６は、その一方端が側パネル２の内側の面に支軸１４２により枢着され、他端は天板３の略中央の下面に支軸１４１されている。
【００１９】
すなわち、天板３の後パネル側にはガイドピン１３が設けられており、このガイドピン１３は、側パネル２の内側の面に設けたガイド部材１１に形成されたガイド溝１２に係合している。さらに支持リンク６の略中間にガスサスペンション１５の一方端が支軸１４３により枢着されており、ガスサスペンション１５の他方端は側パネル２に支軸１４２により枢着されている。
【００２０】
支持リンク６、ガイド部材１１、及びガスサスペンション１５は、側パネル２側ではなく、後パネル側に設けても良い。このようにすると、側パネル２を取外し自在又は回動自在にすることができ、この折り畳みテーブルのレイアウトの自由度が高まる。
【００２１】
ここで、支持手段で支持された天板３と支持手段の動きを図５、図６、図７に基づき説明すると、まず天板３の図５及び図１の右端を手で持ち上げると、ガイドピン１３は、ガイド溝１２に沿って移動し、天板が略水平な使用状態から図６、図７のように天板３の表面側が後パネル１に対して近接して対向する垂直な折り畳み状態に移動する。天板３が、図５に示す略水平状態の使用状態から、図６及び図７に示す後パネル１に対してその表面が対向していくが、ここで天板３が床面に対して略垂直な折り畳み状態に回動する間、ガスサスペンション１５は、特に天板３が垂直位置に近くなるに従い、この天板３が急激に回動しないように支持するダンパーの働きをする弾性手段となる。これにより、ガイドピン１３とガイド溝１２との打音や振動音等の発生を少なくできる。この弾性手段としてはガスサスペンションの外に、ばねやゴム部材でもよい。
【００２２】
更に、天板３が床面に対して垂直の折り畳み状態になった位置で、天板３はガイドピン１３が係合するガイド溝１２に沿って下降する。この時、ガスサスペンション１５は、天板３が下降する動きが穏やかにするダンパーの働きにより、天板３が下降する際の騒音が発生するのを防止できる。
【００２３】
なお、第１実施例では１つのガスサスペンション１５により前記２つのダンパー作用を行わせるようにしたが、２つのガスサスペンションを設けて２のダンパー作用を互いに分担させるか又は共同して行わせるようにすることもできる。
【００２４】
このように、天板３を折り畳んだ後、図２に示されるように延長パネル５を側パネル２に対し垂直に、即ち後パネル１に平行となるまで回動し終えると、折り畳んだ天板３は、後パネル１と側パネル２と延長パネル５により囲まれて閉鎖され、周囲から見えなくなるのでこの折り畳みテーブルを使用しない保管時の見栄えが良くなる。次に延長パネル５の側端部には、ロック機構３０が設けられており（図２）、延長パネル５はこのロック機構３０を介して側パネル２の端部と結合し、閉鎖状態の延長パネル５が勝手に開放しないようにできる。また延長パネル５の側端部に延長パネル５が回動しやすいようするための周知の把手７を設けることも可能である。
【００２５】
図８、図９、図１０は、本発明の支持手段についての第２実施例である。第２実施例の支持手段は、メインリンク２６とサブリンク２７を有し、メインリンク２６には、ガイド溝１２’が設けられ、ガイド溝１２’にはサブリンク２７の一方端に設けたガイドピン１３’が係合し、メインリンク２６の一方端は天板３に支軸１４１’で枢着され、メインリンク２６及びサブリンク２７の他方端は側パネル２２に支軸１４２’で枢着されている。そのため、サブリンク２７のガイドピン１３’は、ガイド溝１２’に沿って移動し、天板３が略水平な使用状態と、後パネル１に対して天板３の表面側が近接して対向する垂直な折り畳み状態とに自在に変化できるように案内支持されている。
【００２６】
またスプリング１８’は、メインリンク２６に対し支軸１４１’を中心として天板３を回動するように引張力を与えている。またその反対端の支軸１４２’に設けたスプリング１８’’が、メインリンク２６を回動するように付勢し、またスプリング１８は、軸１４３’を中心にサブリンク２７が回動するように付勢しており、これらのスプリングの作用によりメインリンク２６、サブリンク２７、天板取付フレーム間にガタが発生することを防止している。
【００２７】
メインリンク２６の中央部には、ガスサスペンション１５の一方端が枢着され、ガスサスペンション１５の他方端は、側パネル２２に枢着されている。これらメインリンク２６、サブリンク２７、ガスサスペンション１５等はカバー２０により覆われている。
【００２８】
次に支持手段の第２実施例の作用を説明すると、図８の使用状態すなわち略水平状態にある天板３の右端を手で持ち上げることにより、ガイドピン１３’は、ガイド溝１２’に沿って下方に移動し、天板が略水平な使用状態から図９のように天板３の表面側が斜めに傾斜する。更に図１０のように天板３が後パネル１に近接して対向する垂直な折り畳み状態に移動する。この時、ガスサスペンション１５は、天板が垂直位置に近くなるに従い天板が急激に回動しないように支持するダンパーの働きをし、また天板を支えるのに必要な力を小さくすることができる。
【００２９】
更に天板３を垂直状態に移動させると、図１０のように、天板３の先端は下降し、後パネル１に設けた天板受け１７に当接して停止する。ここで前記ガスサスペンション１５のダンパー作用により天板３の先端が天板受け１７に急激に当たり騒音が発生するのを防止できる。
【００３０】
図１１、図１２は、折り畳みテーブルの変形例が示され、図１１には延長パネル５の内側下方に昇降可能なパネル状の脚１６が設けられている。この脚１６は延長パネル５に取り外し可能に係止しておくか、ほぼ脚１６の重量を上回る弾性付勢力が与えられて、自由に昇降できるようにしていてもよい。
【００３１】
本例では脚１６に上方向に弾性付勢力が与える場合について説明すると、延長パネル５を展開し、図１１のように次第に天板３を水平方向に倒し、図１２に示される水平位置まで天板３を移動すると、この天板３の重量が脚１６に加わり、この重量が前述の弾性付勢力を上回ることにより、脚１６が下降し床に接地する。脚１６が床に接地されると、キャスター４によるパーテーションの自由な移動が規制され、机が安定することになる。
【００３２】
【発明の効果】
本発明によれば、次のような効果が得られる。
【００３３】
（ａ）請求項１に記載の発明によれば、前記折り畳みテーブルは、天板が垂直状態で収納状態にあり、天板が略水平な位置まで回動すると使用状態となる。すなわち、天板が側パネルに支持されているため、パーテーションを構成する各パネルとして比較的大きなものを利用できるとともに、不使用時には後パネルと対向するように略垂直となるため、運搬が容易でありかつ保管場所をとらず、天板を略水平にするのみで机の使用状態となり、設置も楽なものとなる。またこの支持手段は収納状態時にはパネルで隠蔽され、使用状態時においては天板とパネルにより隠蔽され見栄えを向上できる。更に天板が天板収納時に下降移動できるため、奥行きの長い天板であっても、パネルから飛び出て周囲から見えにくくできる。更に支持手段は、メインリンクとサブリンクを有し、メインリンクには、ガイド溝が設けられ、サブリンクのガイドピンがガイド溝に沿って移動し、天板が略水平な使用状態と後パネルに対して天板の表面側が近接して対向する垂直な折り畳み状態とに移動するように案内支持するので、簡単な機構で確実に天板を回動支持できることになる。
【００３７】
（ｂ）請求項２に記載の発明によれば、支持手段には、天板を垂直な折り畳み状態から使用状態に向かう方向に、付勢する弾性手段を備えているので、天板を支えるのに必要な力を小さくすることができ、また回動時に発生する天板の支持手段の打音等の発生を防止することができる。
【００３８】
（ｃ）請求項３に記載の発明によれば、天板の上下移動の間で上方向に付勢する弾性手段を備えているので、天板の下降移動を穏やかにし、移動の際の騒音が発生するのを防止できる。またこの付勢力が天板を上昇させるときの補助力として働くため、軽い力で天板を上昇できることになる。
【００３９】
（ｄ）請求項４に記載の発明によれば、側パネルに回動可能な延長パネルを備え、天板収納時に折り畳めるので天板を周囲から見えないように遮蔽できるばかりか、延長パネルの延長時にパーテーションによる執務閉空間が構築でき、折り畳み時はコンパクトなパーテーションとなる。また延長パネルを展開した使用時においても、延長パネルを側パネルの一方に設けるか、両方に設けるかにより、またそれらのパネル幅を設定することにより種々の使用形態に対応できる。
【００４０】
（ｅ）請求項５に記載の発明によれば、折り畳みテーブルの設置時や執務室のレイアウト変更時、パネルに設けたキャスターにより、移動をスムーズに行うことができる。
【００４１】
（ｆ）請求項６に記載の発明によれば、天板が後パネルに対して略水平な使用状態となったとき、下降して床面に接地する脚部が設けられているので、天板の使用時に天板やパネルの移動を防止できる。
【図面の簡単な説明】
【図１】本発明を適用した第１実施例の折り畳みテーブルの概観図である。
【図２】図１の収納状態を表す概観図である。
【図３】図１から図２に変化するまでの概観図である。
【図４】図１から図２に変化するまでの概観図である。
【図５】第１実施例の支持手段の機構図である。
【図６】第１実施例の支持手段の機構図である。
【図７】第１実施例の支持手段の機構図である。
【図８】第２実施例の支持手段の機構図である。
【図９】第２実施例の支持手段の機構図である。
【図１０】第２実施例の支持手段の機構図である。
【図１１】図３に対応する折り畳みテーブルの変形例である。
【図１２】図１に対応する折り畳みテーブルの変形例である。
【符号の説明】
１      後パネル
２      側パネル
３      天板
４      キャスター
５      延長パネル
６      支持リンク
７      把手
１１    ガイド部材
１２、１２’  ガイド溝
１３、１３’  ガイドピン
１４１、１４１’  支軸
１４２、１４２’  支軸
１４３、１４３’  支軸
１５    ガスサスペンション
１６    脚
１７    天板受け
１８、１８’、１８’’  スプリング
２０    カバー
２６    メインリンク
２７    サブリンク
３０    ロック機構
【図１】
0004643814.tif 000002
【図２】
0004643814.tif 000003
【図３】
0004643814.tif 000004
【図４】
0004643814.tif 000005
【図５】
0004643814.tif 000006
【図６】
0004643814.tif 000007
【図７】
0004643814.tif 000008
【図８】
0004643814.tif 000009
【図９】
0004643814.tif 000010
【図１０】
0004643814.tif 000011
【図１１】
0004643814.tif 000012
【図１２】
0004643814.tif 000013